(57)【要約】【課題】ティビアパッドを貫通せずに、高さを低く抑え、ティビアパッドによる保護効果を高く維持する、合成樹脂のティビアパッドの固定のためのクリップを提供する。【解決手段】クリップ１は、ティビアパッドに取付けられる硬質合成樹脂製の第１部品２と、被取付部材に固定される硬質合成樹脂製の第２部品３とから成り、第１部品は、ティビアパッド取付穴に挿入される第１軸部９と第１フランジ１０とヒンジ１３とティビアパッドの取付穴の内壁面に係合する係合部１１とを備え、第２部品３は、第１軸部の中空部に挿入される第２軸部２２と第２フランジ２３と被取付部材に固定される固定部（２９）とを備え、係合部１１は、係合状態のときティビアパッドの取付穴の内壁面に係合し、非挿入状態と非係合状態とにおいては、ティビアパッドの内壁面に係合しない。【選択図】図１３
2008163997.tif 000002
【特許請求の範囲】
【請求項１】
乗員保護のための軟質材料で成るティビアパッドをフロアパネル等の被取付部材に固定する、ティビアパッドの固定のためのクリップであって、
ティビアパッドに取付けられる硬質合成樹脂製の第１部品と、被取付部材に固定される硬質合成樹脂製の第２部品とから成り、
前記第１部品は、ティビアパッドの取付穴に挿入される第１軸部と、該第１軸部の一端に設けられて該第１軸部が前記取付穴を貫通するのを阻止するようにティビアパッドに接面する第１フランジと、前記第１軸部の他端に設けられてティビアパッドの取付穴の内壁面に係合する係合部とを備え、前記第１軸部は前記第１フランジ側の一端から前記係合部側の他端まで中空に形成されており、
前記第２部品は、前記第１軸部の中空部に前記一端から挿入されて前記他端から延び出ることができる第２軸部と、該第２軸部の一端に設けられて該第２軸部が前記第１軸部の中空部から抜け出すのを阻止するように前記第１フランジに接面する第２フランジと、被取付部材に固定される固定部とを備え、
前記係合部は、前記第２軸部が前記第１軸部の中空部に前記第１軸部の前記一端から挿入されて該第２軸部の先端が前記第１軸部の前記他端から延び出て該係合部に当接する係合状態にまで挿入されたときにティビアパッドの取付穴の内壁面に係合する構成であり、
前記係合部は、前記第２軸部が前記第１軸部に挿入されていない非挿入状態と前記第２軸部が前記第１軸部に挿入されているが前記第２軸部の先端が前記第１軸部の前記他端から延び出ない非係合状態とにおいてティビアパッドの内壁面に係合しない構成である、
ことを特徴とするクリップ。
【請求項２】
請求項１に記載のクリップにおいて、前記係合部は、前記第１軸部の前記他端にヒンジによって第１軸部の半径方向内側と半径方向外側との間で旋回可能に連結されており、前記係合部は、前記非挿入状態と前記非係合状態にあるとき、前記第１軸部の外面より半径方向外方に張り出さない内側位置に前記ヒンジによって保持されており、前記係合部は、前記第２軸部が前記第１軸部に前記係合状態に挿入されて該第２軸部の先端が前記係合部を前記ヒンジ回りに旋回させるとき、該係合部の先端を前記第１軸部の外面より半径方向外側に位置させてティビアパッドの内壁面に食い込ませる構成である、ことを特徴とするクリップ。
【請求項３】
請求項２に記載のクリップにおいて、前記係合部は、第２軸部が前記係合状態から前記非係合状態に前記第１軸部から抜き出されて該第２軸部の先端から該係合部に付与されていたティビアパッド内壁面への食い込み力が解除されると、該内壁面への係合を解除することができる構成であり、当該クリップをティビアパッドから取外すことができる、ことを特徴とするクリップ。
【請求項４】
請求項３に記載のクリップにおいて、前記係合部は、前記ヒンジから延びる剛性の板状部と該板状部の先端から該板状部に対して直交する方向に前記第１軸部の他端から突出する突起とから成り、該突起は、ティビアパッドの取付穴の内壁面に食い込む形状である、ことを特徴とするクリップ。
【請求項５】
請求項１〜４のいずれか１項に記載のクリップにおいて、前記係合部は、前記第１軸部に直径方向に対向して一対形成されている、ことを特徴とするクリップ。
【請求項６】
請求項１〜５のいずれか１項に記載のクリップにおいて、前記第２軸部の外面には、長手方向に延びる細長いリブが形成されており、前記第２軸部の内面には、前記リブを受けるガイド溝が長手方向に形成されており、前記第２軸部を前記第１軸部の中空部に挿入すると、前記リブが前記ガイド溝に嵌合して、前記第２部品が前記第１部品に組み付けられる、ことを特徴とするクリップ。
【請求項７】
請求項１〜６のいずれか１項に記載のクリップにおいて、前記第２軸部は、被取付部材に立設された棒状のスタッドを受入れるように中空に形成されており、前記固定部は、前記第２軸部の中空部に形成された弾性係止爪を有する、ことを特徴とするクリップ。
【請求項８】
請求項７に記載のクリップにおいて、前記第１軸部には、前記第２軸部の中空部にスタッドが挿入されたときに該第２軸部の弾性係止爪が半径方向外方に張り出すことができる空間が形成されている、ことを特徴とするクリップ。
【請求項９】
請求項１〜８のいずれか１項に記載のクリップにおいて、前記第１フランジは、ティビアパッドの取付穴より大径であるが、前記取付穴の入口部分に形成された入口凹部より小径の円形フランジである、ことを特徴とするクリップ。
【請求項１０】
請求項９に記載のクリップにおいて、前記第２フランジは、前記第１フランジより大径であるが、ティビアパッドの前記入口凹部より小径の円形フランジである、ことを特徴とするクリップ。
【発明の詳細な説明】
【技術分野】
【０００１】
本発明は、乗員保護のための軟質材料で成るティビアパッドをフロアパネル等の被取付部材に固定する、ティビアパッドの固定のためのクリップに関する。
【背景技術】
【０００２】
乗員保護のための軟質材料で成るティビアパッドをフロアパネル等の被取付部材に固定する、ティビアパッドの固定のためのクリップは知られている（特開２００５−１４５２８６号公報：特許文献１）。特許文献１のクリップは、ほぼコの字状の金属製の板ばねで形成されて、ティビアパッドの取付穴に挿入して、折曲げた端部を取付穴の内壁面に食い込ませることによってティビアパッドに取付ける。クリップ付きのティビアパッドは、フロアパネルに立設されたスタッドを、クリップ付きの取付穴に受入れて、クリップをスタッドのねじ溝に係止させてティビアパッドをフロアパネルに固定する。
【０００３】
【特許文献１】特開２００５−１４５２８６号公報
【特許文献２】特開２００６−０８３９３６号公報
【特許文献３】特開２００３−１３７０１３号公報
【特許文献４】特開２００１−３１７５１５号公報
【０００４】
特許文献１のティビアパッド固定用のクリップは、金属製の板ばねで成る。防錆の観点においても取扱いの容易さの点においても、クリップは、金属製ではなく、合成樹脂製で成るのが好ましい。特許文献２のクリップは、合成樹脂製のグロメットと該グロメットの胴部の中空部に挿入される合成樹脂製のピン部材との２部品で成る。クリップは、ダッシュサイレンサやカーペット等の複数の軟質材料シートを重ね合わせて、スタッドが立設されたダッシュパネル等に固定するのに用いられる。このクリップにおいて、グロメットの軸部は、ダッシュサイレンサやカーペット等の複数の軟質材料シートを重ね合わせたシートの取付穴を貫通し、更に、ピン部材の軸部がグロメット軸部を貫通し、重ね合わせシートの一方の面をブッシュフランジで押さえ、他方の面を、ピン軸部で旋回させたブッシュの旋回片で押さえて、グロメットで重ね合わせシートを保持し、グロメットをピン部材に連結してピン部材が固定されたパネルに固定し、重ね合わせシートをパネルに連結する。
【０００５】
特許文献３のクリップは、合成樹脂製の雌部材と該雌部材の胴部の中空部に挿入される合成樹脂製の雄部材との２部品で成る。クリップは、ダッシュサイレンサとフロアパッド（又はティビアパッド）の軟質材料シートを重ね合わせて、フロアパネルに固定するのに用いられる。このクリップにおいて、雌部材の軸部は、重ね合わせたダッシュサイレンサ及びフロアパッドの軟質材料シートの取付穴を貫通し、更に、雄部材の軸部が雌部材の軸部を貫通し、重ね合わせシートの一方の面を雌部材フランジで押さえ、他方の面を、雄部材の軸部で押出した弾性片で押さえて、雌部材で重ね合わせシートを保持し、雌部材を雄部材に連結して雄部材でパネルに固定し、重ね合わせシートをパネルに連結する。
【０００６】
特許文献４のクリップは、合成樹脂製の一体成形品であり、中空軸部と該軸部の一端に形成された第１保持部となるフランジと軸部の他端に旋回可能に形成された第２保持部とが形成され、更に、前記中空軸部に挿入される挿入筒がフランジに隣接するように一体に形成される。このクリップにおいては、サイレンサ等の軟質材料シートの貫通穴に、中空軸部が貫通するように挿入され、更に、挿入筒が中空軸部に挿入されて、サイレンサの一方の面を第１保持部となるフランジで押さえ、他方の面を、挿入筒で旋回させた第２保持部で押さえ、挿入筒を、スタッドが立設されたフロアパネル等に固定することによって、サイレンサをフロアパネルに連結する。
【発明の開示】
【発明が解決しようとする課題】
【０００７】
特許文献１のクリップは、金属製であり、防錆及び取扱いの容易さの点において合成樹脂製のクリップが望まれている。特許文献２〜特許文献４のクリップは、合成樹脂製であるので好ましい。しかし、これらのクリップは、取付ける相手部材の取付穴が貫通穴であることを必要としている。ティビアパッドは、乗員の下肢障害を低減するように保護するため、軟質の材料で成る。他方、クリップは、ティビアパッドをフロアパネルに確実に固定するため、硬質の材料で形成される。特許文献２〜特許文献４のクリップのように、クリップが、ティビアパッドを貫通した状態で取付けられると、硬質の部材が乗員の足元にあるので、軟質材料で成るティビアパッドによる保護を確実にできないおそれがある。クリップは、ティビアパッドを貫通せず、フロアパネルからできるだけ高くならずに、ティビアパッドによる効果を高く維持できるのが望ましい。
【０００８】
従って、本発明の目的は、ティビアパッドを貫通せず、フロアパネル等の被取付部材からできるだけ高くならずに、ティビアパッドによる効果を高く維持できる、ティビアパッドの固定のための合成樹脂製のクリップを提供することにある。
【課題を解決するための手段】
【０００９】
上記目的を達成するため、本発明に係る、乗員保護のための軟質材料で成るティビアパッドをフロアパネル等の被取付部材に固定する、ティビアパッドの固定のためのクリップは、ティビアパッドに取付けられる硬質合成樹脂製の第１部品と、被取付部材に固定される硬質合成樹脂製の第２部品とから成り、第１部品は、ティビアパッドの取付穴に挿入される第１軸部と、第１軸部の一端に設けられて第１軸部が取付穴を貫通するのを阻止するようにティビアパッドに接面する第１フランジと、第１軸部の他端に設けられてティビアパッドの取付穴の内壁面に係合する係合部とを備え、第１軸部は第１フランジ側の一端から係合部側の他端まで中空に形成されており、第２部品は、第１軸部の中空部に前記一端から挿入されて前記他端から延び出ることができる第２軸部と、第２軸部の一端に設けられて第２軸部が第１軸部の中空部から抜け出すのを阻止するように第１フランジに接面する第２フランジと、被取付部材に固定される固定部とを備え、係合部は、第２軸部が第１軸部の中空部に第１軸部の前記一端から挿入されて第２軸部の先端が第１軸部の前記他端から延び出て係合部に当接する係合状態にまで挿入されたときにティビアパッドの取付穴の内壁面に係合する構成であり、係合部は、第２軸部が第１軸部に挿入されていない非挿入状態と第２軸部が第１軸部に挿入されているが第２軸部の先端が第１軸部の前記他端から延び出ない非係合状態とにおいてティビアパッドの内壁面に係合しない構成である、ことを特徴とする。
【００１０】
上記のように、第１部品の第１軸部の端部に形成された係合部は、係合状態にあるときティビアパッドの取付穴の内壁面に係合し、非挿入状態と非係合状態とにおいてティビアパッドの内壁面に係合しない構成であるので、クリップをティビアパッドに取付けるのに貫通穴を必要とせず、第１軸部の長さを短くすれば、それに伴なって、第２軸部も短く形成でき、クリップ全体が、フロアパネル等の被取付部材から高くならずに済み、ティビアパッドによる効果を高く維持できるように、ティビアパッドに固定できる。
【００１１】
上記クリップにおいて、係合部は、第１軸部の前記他端にヒンジによって第１軸部の半径方向内側と半径方向外側との間で旋回可能に連結されており、係合部は、非挿入状態と非係合状態にあるとき、第１軸部の外面より半径方向外方に張り出さない内側位置にヒンジによって保持されており、係合部は、第２軸部が第１軸部に係合状態に挿入されて第２軸部の先端が係合部を前記ヒンジ回りに旋回させるとき、係合部の先端を第１軸部の外面より半径方向外側に位置させてティビアパッドの内壁面に食い込ませる構成である。そのクリップにおいて、係合部は、第２軸部が係合状態から非係合状態に第１軸部から抜き出されて第２軸部の先端から係合部に付与されていたティビアパッド内壁面への食い込み力が解除されると、内壁面への係合を解除することができる構成であり、クリップをティビアパッドから取外すことができる。係合部は、ヒンジから延びる剛性の板状部と板状部の先端から板状部に対して直交する方向に第１軸部の他端から突出する突起とから成り、突起は、ティビアパッドの取付穴の内壁面に食い込む形状である。
【００１２】
上記クリップにおいて、係合部は、第１軸部に直径方向に対向して一対形成される。第２軸部の外面には、長手方向に延びる細長いリブが形成されり、第２軸部の内面には、リブを受けるガイド溝が長手方向に形成され、第２軸部を第１軸部の中空部に挿入すると、リブがガイド溝に嵌合して、第２部品が第１部品に組み付けられる。かかるクリップにおいて、第２軸部は、被取付部材に立設された棒状のスタッドを受入れるように中空に形成されており、固定部は、第２軸部の中空部に形成された弾性係止爪を有する。第１軸部には、第２軸部の中空部にスタッドが挿入されたときに第２軸部の弾性係止爪が半径方向外方に張り出すことができる空間が形成されている。第１フランジは、ティビアパッドの取付穴より大径であるが、取付穴の入口部分に形成された入口凹部より小径の円形フランジである。第２フランジは、第１フランジより大径であるが、ティビアパッドの入口凹部より小径の円形フランジである。
【発明を実施するための最良の形態】
【００１３】
以下、本発明の実施形態について図面を参照しながら説明する。図１に本発明の１実施形態に係る、ティビアパッドの固定のためのクリップ１が示される。ティビアパッドの固定のためのクリップ１は、硬質の合成樹脂によって一体成形された第１部品２と、硬質の合成樹脂によって一体成形された第２部品３とから成る。図２〜図６は、クリップ１の一方の構成部品である第１部品２を示している。図７〜図１２は、クリップ１の他方の構成部品である第２部品３を示している。図１３は、クリップ１が、非係合状態（図１に示される状態）から係合状態にされた後の斜視図である。図１４は、非係合状態にあるクリップ１をティビアパッド５に取付ける前の様子を示している。図１５は、クリップ１が係合状態にされてティビアパッド５に取付けられ、そのティビアパッド５が、スタッド６が立設された被取付部材であるフロアパネル７に固定される前の状態を示している。
【００１４】
第１部品２について、図２〜図６を参照して説明する。ティビアパッド５の取付穴１９に挿入される第１軸部９と、第１軸部９の一端（図３の下端）に設けられて第１軸部９が取付穴１９を貫通するのを阻止するようにティビアパッド５に接面する第１フランジ１０と、第１軸部９の他端（図３の上端）に設けられてティビアパッドの取付穴の内壁面に係合する係合部１１と、係合部１１を第１軸部９の半径方向内側と半径方向外側との間で旋回可能に連結するヒンジ１３とを備えている。第１軸部９は、第１フランジ１０側の一端（下端）から係合部１１側の他端（上端）まで中空に形成されて、その中空部分を第２部品３の第２軸部が挿入できる。図示の実施形態において、係合部１１と、係合部１１を第１軸部９に連結するヒンジ１３とは、第１軸部９の直径方向において対向するように、一対形成されている。
【００１５】
各ヒンジ１３は、ばねのように復帰力の有る弾性を有するのが好ましく、その弾性によって、第２部品３の第２軸部２２が第１軸部９に挿入されない非挿入状態又は第２部品３の第２軸部２２が第１軸部９に挿入されていても第２軸部の先端が係合部１１に当接しない非係合状態にあっては、係合部１１を、第１軸部９の外面から半径方向外方には張り出さない内側位置に維持する。また、各ヒンジ１３は、可撓性を有し、第２部品３の第２軸部が第１軸部９に挿入され第２軸部の先端が第１軸部９より延び出て係合部１１に係合し係合部１１に押し出す力を付与した係合状態において、係合部１１をヒンジ１３の回りに旋回させる。係合状態において、図１３に図示のように、係合部１１がヒンジ１３の回りに旋回して係合部１１の先端（突起１５）が第１軸部９の外面より半径方向外側に位置する。実施形態において、各ヒンジ１３は、薄肉ではあるが強度が高く可撓性で且つ弾性を有する４分の１円弧形状の帯条体に形成されている。
【００１６】
図示の実施形態において、各係合部１１は、ヒンジ１３から延びる剛性の板状部１４と板状部１４の先端から板状部１４に対して直交する方向に第１軸部９の上端から突出する突起１５とから成る。突起１５は、ティビアパッドの取付穴の内壁面に食い込む形状に形成されている。従って、係合部１１の先端が第１軸部９の半径方向外側に位置するように旋回させられると、ティビアパッドの取付穴の内壁面に係合部１１が係合して突起１５がその内壁面３４に食い込ませられる。これによって、第１部品２はティビアパッドに固定される。なお、突起１５は、ヒンジ１３に向かう側面が斜面に形成されており、第２部品３の第２軸部２２が係合状態から非係合状態に第１軸部６から抜き出されて第２軸部２２の先端から係合部１１に付与されていたティビアパッド内壁面への食い込み力が解除されると、第１部品２をティビアパッド５から抜き出すとき、内壁面への係合を解除し易くなっている。
【００１７】
第１軸部９の内面には、第２部品３の第２軸部２２の外面に形成された長手方向に延びる細長いリブ３０を受けるガイド溝１７が、長手方向に延びて形成されている。ガイド溝１７は、第２軸部２２のリブ３０に対応して、一対形成されている。第２部品３の第２軸部２２を第１軸部９の中空部に第２軸部２２のリブ３０がガイド溝１７に嵌合するように挿入すれば、第２部品３が第１部品２に組み付けられ、図１のクリップ１となる。また、第１軸部９には、第２部品３の第２軸部２２の中空部に形成された弾性係止爪２９が第１軸部９の中で半径方向外方に出ることができるように、周方向に一部を切断した空間１８が形成されている。空間１８は、第２部品３の第２軸部２２の弾性係止爪２９に合わせて一対形成されている。更に、第１フランジ１０は、図１４及び図１５に図示のように、ティビアパッド５の取付穴１９より大径であるが、取付穴１９の入口部分に形成された入口凹部２１（図１４、１５）より小径の円形フランジとして形成されている。第１フランジ１０はティビアパッド５の入口凹部２１の部分で接面して、第１軸部９が取付穴１９をそれ以上貫通するのが阻止される。従って、ティビアパッド５には貫通穴を必要とせず、第１軸部９及び係合部１１の長さを短くすれば、それに伴なって、第２軸部２２も短く形成でき、クリップ全体が、フロアパネル等の被取付部材から高くならずに済み、ティビアパッドによる効果を高く維持できるようにティビアパッドに固定できる。このため、第１軸部９の長さ（図３の上下方向の長さ）は、可能な限り短く形成されるのが好ましく、例えば、図示のように、第２部品３の第２軸部２２を挿入するためのガイドとして機能する短いものでよい。また、ヒンジ１３及び係合部１１が、図１３の係合状態にあるとき、その長さ（上下方向の高さ）ができるだけ短くなるように、ヒンジ１３及び係合部１１が形成されるのが好ましい。
【００１８】
図７〜図１２を参照して、第２部品３の構成を説明する。第２部品３は、第１部品２の第１軸部９の中空部に一端（図２の下端）から挿入されて他端（同図の上端）から延び出ることができる第２軸部２２と、第２軸部２２の一端（図８の下端）に設けられて第２軸部２２が第１軸部９の中空部から抜け出すのを阻止するように第１フランジ１０に接面する第２フランジ２３と、フロアパネル７等の被取付部材に固定される固定部２５とを備えている。
【００１９】
実施形態において、図１５に図示のように、フロアパネル７には棒状のねじ又は周溝が形成されたスタッド２６が立設されている。固定部２５は、第２軸部２２に形成されて、図示の実施形態においては、スタッド受入穴２７と弾性係止爪２９とから成り、被取付部材であるフロアパネル７に立設されたスタッド２６に係止する構成である。第２軸部２２は、スタッド２６を受入れるスタッド受入穴２７を有するように中空に形成される。スタッド受入穴２７には、受入れたスタッドの棒状部分に形成されたねじの溝又は周溝に係止する弾性係止爪２９が一対形成されている。弾性係止爪２９の数は２対以上であってもよく、また、周方向に３つ形成されてもよく、スタッドに係止して固定できる限り、任意の数及び形状でよい。更に、固定部は図示のものに限らない。例えば、フロアパネル７にスタッドが立設されず、取付穴が設けられている場合には、固定部は、第２フランジ２３から第２軸部２２とは反対方向（図８の下方）に延びてフロアパネルの取付穴に挿入されて係止する、錨脚形状の固定部であってもよい。
【００２０】
第２軸部２２は、第１軸部９に挿入されたとき、その先端が第１軸部９の中空部分を進んで係合部１１に係合し、更に、係合部１１をヒンジ１３回りに旋回させつつ第１軸部９から延び出る長さに形成されている。また、第２軸部２２の先端は、一対の係合部１１の両方を第１軸部９の半径方向内側の位置から半径方向外側に旋回させる形状に形成されている。第２軸部２２の先端が第１軸部９より延び出て係合部１１に当接して半径方向外側に旋回させた状態が、図１３に示されており、この状態が、「係合状態」である。係合状態において、係合部１１の突起１５は、第１軸部９の半径方向外側に張り出しており、ティビアパッド５の取付穴１９の内壁面に食い込む。なお、第１軸部９に第２軸部２２が挿入されていない状態は、「非挿入状態」である。また、第１軸部９に第２軸部２２が挿入されているが第２軸部２２の先端が係合部１１に当接しない状態は、「非係合状態」であり、図１に示されている。第２軸部２２は、上記の「非係合状態」及び「係合状態」を得る限り、図示のように円筒形状に形成されてよく、他の任意の形状にも形成できる。第２軸部２２の外面には、長手方向に延びる細長いリブ３０が形成されている。リブ３０は、第１軸部９の内面のガイド溝１７に嵌合して、第１部品２と第２部品３とを連結して、クリップ１となる。第１部品２と第２部品３の連結力を強固するにはリブ３０とガイド溝との嵌合を緊密にすればよく、例えば、リブ３０及びガイド溝１７の幅をできるだけ同じ幅に近づけて嵌合後の連結力を高く維持するのが好ましい。その場合、第２軸部２２を第１軸部９に挿入するのを容易にするため、入口近くではリブ３０に対してガイド溝１７の幅を大きくするのが好ましい。リブ３０は、第２軸部２２の直径方向に対向して一対形成されている。リブ３０とガイド溝１７の組合せにより、第２部品３が第１部品２に組み付けられ、その組み付けにおいて、第２軸部２２の弾性係止爪２９が、第１軸部９の空間１８に合わせた位置に定められ、第２軸部２２にスタッド２６を受入れて弾性係止爪２９が半径方向外側に撓められるとき、係止爪２９が半径方向外側に逃げるための空間１８が確保される。更に、リブ３０は、第２軸部２２を強固にするので、図１３に図示のように、係合部１１の板状部１４を押上げる位置にあって、係合部１１の突起１５に付与するティビアパッドへの食い込み力を強固にするのが好ましい。従って、リブ３０を案内するガイド溝１７は、係合部１１に対応する位置の第１軸部９の内面に形成されるのが好ましい。なお、第２軸部２２の長さは、前記係合状態を維持する長さに設定されるだけでなく、クリップ１全体がフロアパネル等の被取付部材から高くならずに済むように、可能な範囲で短く形成されるのが好ましい。
【００２１】
第２フランジ２３は、第１フランジより１０より大径に形成される。第２フランジ２３は、第２軸部２２が第１軸部９に「係合状態」に挿入されるとき、第１フランジ１０に邪魔されて、第２軸部２２のそれ以上の押込みを阻止する。なお、第２フランジ２３は、図１４及び図１５に図示のように、ティビアパッド５の入口凹部２１より小径の円形フランジとして形成される。第２フランジ２３は、図１１に図示のように、外縁部３１を有し、外縁部３１は、フロアパネル７に立設された、棒状のスタッド２６の先端を拾い易いように、第２軸部２２と反対側である下方に少し延びている。第２フランジ２３は、拾ったスタッドの先端を、第２軸部２２のスタッド受入穴２７に誘導するように、第２軸部２２の軸心に向けて緩やかな勾配を持つ形状に形成されるのが好ましい。
【００２２】
上記構成で成る第１部品２に第２部品３を組み付けて非係合状態に連結したクリップ１が図１に示されている。第１部品２に、第２部品３の第２軸部２２のリブ３０を、第１部品２の第１軸部９の内側のガイド溝１７に位置合わせして、第２軸部２２を第１軸部９の中空部に挿入する。第２軸部２２の挿入は、先端が係合部１１に接触しても押上げない位置で止められる。これによって、クリップ１は図１の非係合状態になる。この非係合状態から、更に、第２軸部２２を第１軸部９に押込んで、第２軸部２２の先端が係合部１１に当接して係合部１１を押上げると、係合部１１がヒンジ１３の回りに旋回させられて、ヒンジ１３及び係合部１１の板状部１４が立ち上がり、図１３に図示のように、係合部１１の突起１５が第１軸部９の外面より半径方向外方に突出した「係合状態」となる。
【００２３】
クリップ１をティビアパッド５に取付ける操作を、図１４及び図１５を参照して説明する。ティビアパッド５には、盲穴である取付穴１９が形成されており、入口部分には取付穴１９より大径の入口凹部２１が形成されている。クリップ１は、第１部品２と第２部品３とが図１の非係合状態に連結された状態にある。図１４において、ティビアパッド５の取付穴１９に、係合部１１及びヒンジ１３を位置決めして第１軸部９を挿入し、第１フランジ１０が入口凹部２１のティビアパッド面に接面させる。
【００２４】
次に、第２部品３の第２軸部２２を第１軸部９に更に挿入するように押込む。図１５に図示のように、その押込みによって、第２軸部２２の先端が係合部１１の板状部１４に当接してそれを押上げ、係合部１１の板状部１４がヒンジ１３とともに立ち上がるように旋回させられる（矢印３３）。第２軸部２２の押込みは、第２フランジ２３が第１フランジ１０に邪魔されて停止する。係合部１１はヒンジ１３の回りに旋回させら、ヒンジ１３及び係合部１１の板状部１４を立ち上がらせ、図１５に示すように、係合部１１の突起１５が第１軸部９の外面より半径方向外方に突出した「係合状態」となり、突起１５が取付穴１９の内壁面３４に食い込む。この食い込みによって、第１部品２がティビアパッド５に強固に固定される。第１軸部９とヒンジ１３と係合部１１の板状部１４の長さ（高さ）はティビアパッド５の厚さより十分に低く、図１５の取付穴１９の上方部分には、軟質材料部分を確保でき、クリップ１の硬質部分に伴なう乗員保護の低下は避けられる。
【００２５】
図１５において、被取付部材であるフロアパネル７には棒状のスタッド２６が溶接等によって立設されている。スタッド２６の棒状部分には、ねじ又は周溝が形成されている。図示の実施形態では、スタッド２６にはねじが形成されている。フロアパネル７にティビアパッド５を固定するには、取付穴１９にクリップ１を取付けた後、第２部品３の第２軸部２２のスタッド受入穴２７にスタッド２６を受入れるように位置決めして、そのままティビアパッド５をフロアパネル７に押付ける。これによって、弾性係止爪２９が、ねじ溝又は周溝に係合して第２部品３がスタッド２６に係止し、クリップ１がフロアパネル７に固定され、ティビアパッド５がフロアパネル７に固定される。上記のように、合成樹脂ので成るクリップ１を、ティビアパッド５を貫通せずに、フロアパネル７から可能な限り低く抑えることができ、ティビアパッド５による乗員の下肢障害を低減する効果を高く維持できるように、ティビアパッド５をフロアパネル７に固定できる。
【００２６】
なお、フロアパネル７には、スタッドが立設されず、フロアパネル７に取付穴（図示せず）が設けられている場合には、固定部はフランジから軸部とは反対側に延びてフロアパネルの取付穴に挿入されて係止する錨脚形状のものであってもよい。このように、固定部はフロアパネルに固定できる限り、任意の形状又は構造のものでよい。
【００２７】
ティビアパッド５をフロアパネル５から取外す場合、ティビアパッド５を図１５の上方に引き抜けば、ティビアパッド５は第１部品２とともに、第２部品３から、抜き出しできる。これは、第１部品２と第３部品３とは、第２軸部２２の長手方向に延びるリブ３０と第１軸部９の長手方向に延びるガイド溝１７との嵌合によって連結されているので、第１部品２を上方に引き抜くと、第２部品３との連結を外すことができるからである。また、第１軸部９から第２軸部２２が引き抜かれると、係合部１１の突起１５に付与された内壁面３４への食い込み力が解除され、第１フランジ１０をもって第１部品２をティビアパッド５から引き抜くようにすると、突起１５は、その斜面形状によって、突き刺さっていた内壁面３４から離れて、第１部品２をティビアパッド５から取外すことができる。第２部品３をスタッド２６から取外すには、スタッド２６がねじスタッドである場合には、第２部品３を抜き出し方向に回転させればよい。これらによって、ティビアパッド５を新しいものに交換したり、第１部品２又は第３部品３を交換したり、破損していない場合には再使用ができる。
【図面の簡単な説明】
【００２８】
【図１】本発明の１実施形態に係るティビアパッドの固定のためのクリップの「非係合状態」の斜視図である。
【図２】図１のクリップの第１部品の平面図である。
【図３】図２の第１部品の正面図である。
【図４】図２の第１部品の底面図である。
【図５】図３の第１部品の側面図である。
【図６】図２の第１部品のＡ−Ａ線断面図である。
【図７】図１のクリップの第２部品の平面図である。
【図８】図７の第２部品の正面図である。
【図９】図７の第２部品の底面図である。
【図１０】図７の第２部品の側面図である。
【図１１】図７の第２部品のＢ−Ｂ線断面図である。
【図１２】図８の第２部品のＣ−Ｃ線断面図である。
【図１３】図１のクリップを「係合状態」にした斜視図である。
【図１４】図１のクリップをティビアパッドに取付ける前の断面図である。
【図１５】図１のクリップをティビアパッドに取付けた後、フロアパネルに取付ける前の断面図である。
【符号の説明】
【００２９】
１  ティビアパッドの固定のためのクリップ
２  第１部品
３  第２部品
５  ティビアパッド
６  スタッド
７  フロアパネル
９  第１軸部
１０  第１フランジ
１１  係合部
１３  ヒンジ
１４  板状部
１５  突起
１７  ガイド溝
１８  空間
１９  取付穴
２１  入口凹部
２２  第２軸部
２３  第２フランジ
２５  固定部
２６  スタッド
２７  スタッド受入穴
２９  弾性係止爪
３０  リブ
３４  ティビアパッドの内壁面
【図１】
2008163997.tif 000003
【図２】
2008163997.tif 000004
【図３】
2008163997.tif 000005
【図４】
2008163997.tif 000006
【図５】
2008163997.tif 000007
【図６】
2008163997.tif 000008
【図７】
2008163997.tif 000009
【図８】
2008163997.tif 000010
【図９】
2008163997.tif 000011
【図１０】
2008163997.tif 000012
【図１１】
2008163997.tif 000013
【図１２】
2008163997.tif 000014
【図１３】
2008163997.tif 000015
【図１４】
2008163997.tif 000016
【図１５】
2008163997.tif 000017